(57)【特許請求の範囲】
【請求項１】
先端にブレードを保持し、ハウジング内に往復動可能に支持されたプランジャと、該プランジャとほぼ平行に伸び、該プランジャの先端近傍を支点とした揺動が可能な如く前記ハウジング内に取り付けられ、前記プランジャに揺動運動を付与するガイドスリーブとを備えたセーバソーにおいて、前記ガイドスリーブの先端側外周とハウジング内壁との間に、長手方向に離間し、前記ハウジング内壁に密着する少なくとも２つのリング状突起を有する筒状弾性部材を設けたことを特徴とするセーバソー。
【請求項２】
前記筒状弾性部材をゴムにより形成したことを特徴とする請求項１記載のセーバソー。
【請求項３】
前記筒状弾性部材の前方にプランジャが貫通する穴を有する底部を設け、前記穴がプランジャに隙間なく嵌合するようにしたことを特徴とする請求項１記載のセーバソー。
【請求項４】
前記筒状弾性部材の底部より前方に延びるフランジ部を設け、フランジ部の外周にＯリングを取り付けると共にフランジ部とプランジャとの間にフェルト等の防塵部材を設けたことを特徴とする請求項１記載のセーバソー。
【発明の詳細な説明】
【０００１】
【発明の属する技術分野】
本発明は住宅やビルの建築、設備、改装、解体工事等において木材、鋼材、パイプ等を切断するのに使用されるセーバソーに関するものである。
【０００２】
【従来の技術】
電動モータにより駆動される往復動形式の切断工具としてセーバソーがある。セーバソーは、周知の如く、一般に直線のこ刃（以下ブレードという）を保持した往復動軸（以下プランジャという）を往復移動させてブレードによって切断するものである。
【０００３】
セーバソーにおいては、プランジャを単純に往復移動して切断するタイプと、プランジャを往復移動すると同時に上下方向の揺動動作を付与し、ブレードを被切断材に勢いよく食い込ませることにより切断能率の向上を図るようにしたタイプとがある。このように往復運動及び揺動運動の複合動作によってブレードを駆動して切断する形態をオービタル切断という。
【０００４】
オービタル切断を行わせるようにしたセーバソーの一例を図１に示す。図示しないモータの出力軸先端に装着されたピニオン８を介して回転されるセカンドシャフト９に偏心部９ａが形成されると共に回転運動を往復運動に変換するレシプロプレート１８が取り付けられている。先端にブレード２７を保持したプランジャ２０は、ギヤカバー６に支点Ａを中心として揺動可能に取り付けられたガイドスリーブ１３の内側に摺動可能に取り付けられ、セカンドシャフト９が回転することによりレシプロプレート１８によって往復移動される。ガイドスリーブ１３の後端部は、先端がセカンドシャフト９の偏心部９ａに接触する連結板４０に取り付けられ、セカンドシャフト９の回転により連結板４０が図１中上下に往復移動することにより、ガイドスリーブ１３は前記支点Ａを中心とした揺動運動を行い、プランジャ２０に揺動運動を付与する。
【０００５】
【発明が解決しようとする課題】
ガイドスリーブ１３の揺動運動により例えば鋼製のガイドスリーブ１３先端部が例えばアルミニウム製のギアカバー６内壁に繰り返し衝突するため、高い騒音が発生する問題があると共にガイドスリーブ１３及びギアカバー６が摩耗するという問題があった。
【０００６】
また、ガイドスリーブ１３を揺動運動させるため、ガイドスリーブ１３とギアカバー６の間には隙間が存在し、切断作業中に被切断材の切紛または既設の例えば水道管を切断する際に水道管中に残存していた水等が浸入する恐れがあり、ガイドスリーブ１３の摩耗、腐食による寿命低下の問題もあった。
【０００７】
この切粉や水の浸入を防止するために、ガイドスリーブ１３の前方に位置するギヤカバー６とプランジャ２０とに間にフェルト６１及びガイドスリーブ１３とプランジャ２０との間に設けられたメタル６２の先端凹所にオイルシール６３を設ける構成が提案されている。しかしフェルト６１は水の浸入を防止することができず、またプランジャ２０の揺動時にフェルト６１とプランジャ２０との間には隙間が必然的に生じ、この隙間、メタル６２とメタル６２を保持するリング状のメタルホルダ６４間の隙間、更にガイドスリーブ１３とギヤカバー６間の隙間を介して水、切粉等が浸入してしまい、結果として前記摩耗、寿命低下を完全に解消することはできなかった。
【０００８】
本発明の目的は、上記した従来技術の欠点をなくし、騒音が少なく長寿命のセーバソーを提供できるようにすることである。
【０００９】
【課題を解決する手段】
上記目的は、前記ガイドスリーブの先端側外周とハウジング内壁との間に、長手方向に離間し、前記ハウジング内壁に密着する少なくとも２つのリング状突起を有する筒状弾性部材を設けることにより達成される。
【００１０】
【発明の実施の形態】
以下一実施形態を示した図２〜図７を参照して本発明を説明する。なお図２において、左側を前方、右側を後方として説明する。またプランジャ２０を往復移動させる構成は上記した従来例と同じなので説明を省略し、ガイドスリーブ１３を揺動させる構成も従来から種々提案されていると共に本発明の特徴部でもないので図示も含めて説明を省略する。
【００１１】
前記ガイドスリーブ１３は、前記支点Ａ部近傍の断面を示す図３に示す如く、ギヤカバー６にねじ嵌合した軸ボルト１２により支持され、軸ボルト１２の軸心を中心として揺動可能に取り付けられている。なお図３においてギヤカバー６の外側にあるフロントカバー２４は２層構造として示したが、図２においては簡略化のため１層構造として示してある。
【００１２】
ガイドスリーブ１３の先端部内側にはプランジャ２０を往復移動可能に支持するメタル６２が設けられ、メタル６２の前方にはオイルシール６３が設けられている。ガイドスリーブ１３の先端部外周と本発明ハウジングを構成するアルミニウム製のギヤカバー６との間には有底円筒状の例えばゴムから構成される弾性部材３０が設けられている。
【００１３】
弾性部材３０の外周には長手方向に沿って複数のリング状突起３１が形成されている。突起３１は弾性部材３０とギヤカバー６内壁との密着性を良くするために形成されたものである。すなわち図６及び図７に示す如く、プランジャ２０すなわちブレード２７が下方及び上方に揺動したとしても、突起３１が変形して弾性部材３０とギヤカバー６との密着を維持するようにして弾性部材３０とギヤカバ６との間に隙間が生じるのを防止し、この隙間を介して水、切粉が浸入するのを阻止するようにしている。
【００１４】
弾性部材３０の前方に位置する底部には、図４、図５に示す如く、プランジャ２０が貫通する穴３２が設けられ、この穴３２はプランジャ２０外周と隙間なく嵌合し、水、切粉が浸入するのを阻止している。なお弾性部材３０の内壁に設けられた突起３３はガイドスリーブ１３との密着性を良くするために設けられたもので、弾性部材３０とガイドスリーブ１３との密着性を良くしてこの間から水、切粉が浸入するのを阻止する。
【００１５】
上記実施形態によれば、ガイドスリーブ１３とギヤカバー６が直接衝突することがなく、弾性部材３０を介して衝突するようになるので騒音の発生が少なくなると共にガイドスリーブ１３及びギヤカバー６の摩耗も少なくなる。また弾性部材３０とガイドスリーブ１３及びギヤカバー６との間の密着性がよくなるので、水、切粉等の浸入が阻止され、ガイドスリーブ１３の摩耗、腐食による寿命低下の問題も解消できるようになる。
【００１６】
図８〜図１０は本発明の他の実施形態を示すもので、弾性部材３０の先端フランジ部３４にＯリング３６が取り付けられる溝３５及び前方に突出した突起３７を設け、フランジ部３４とプランジャ２０との間に設けられたフェルト３８がＯリング３６の付勢力によりプランジャ２０外周に良く密着するようにしたものである。この結果水、切粉等の浸入を更に良く阻止できるようになり、より長寿命のセーバソーとすることが可能となる。
【００１７】
【発明の効果】
以上説明したように本発明によれば、金属製のガイドスリーブとギアカバーとが直接衝突することがなくなるので、騒音及びこれら部材の摩耗を少なくできる。また水、切粉等の浸入を極力少なくできるので長寿命のセーバソーを提供できるようになる。
【図面の簡単な説明】
【図１】従来のセーバソーの一例を示す要部断面図。
【図２】本発明装置を採用したセーバソーの一実施形態を示す要部断面図。
【図３】本発明保持装置の要部を示す断面図。
【図４】本発明保持装置を構成する弾性部材の一実施形態を示す半断面図。
【図５】図４の左側面図。
【図６】本発明保持装置の作用説明用断面図。
【図７】本発明保持装置の作用説明用断面図。
【図８】本発明保持装置の他の実施形態を採用したセーバソーの要部断面図。
【図９】本発明保持装置を構成する弾性部材の他の実施形態を示す半断面図。
【図１０】図９の左側面図。
【符号の説明】
６はギアカバー、１３はガイドスリーブ、２０はプランジャ、２７はブレード、３０は弾性部材、３１、３３、３７は突起、３２は穴、３４はフランジ部、３５は溝、３６はＯリング、３８はフェルト。
【図１】
0003726576.tif 000002
【図２】
0003726576.tif 000003
【図３】
0003726576.tif 000004
【図４】
0003726576.tif 000005
【図５】
0003726576.tif 000006
【図６】
0003726576.tif 000007
【図７】
0003726576.tif 000008
【図８】
0003726576.tif 000009
【図９】
0003726576.tif 000010
【図１０】
0003726576.tif 000011